(57)【特許請求の範囲】
【請求項１】
電解槽がアノード室と中間室とカソード室から構成された３室型の電解装置であって、
前記アノード室と中間室の間に、陰イオン交換膜と電極が配置され、
前記カソード室と中間室の間に、陽イオン交換膜と電極が配置され、
前記アノード室と中間室とカソード室は夫々２個の流入口を備えており、
前記流入口は、各電解槽において夫々左右対称に対向配置されたことを特徴とする電解装置。
【請求項２】
前記流入口から供給される水量が等しいことを特徴とする請求項１に記載の電解装置。
【発明の詳細な説明】
【技術分野】
【０００１】
本発明は、電気分解によってアルカリ性の還元水と酸性の酸化水を得ることのできる電解装置に関するものである。
【背景技術】
【０００２】
一般に、電解装置は隔膜のない１室型と１枚の隔膜で２槽に分割した２室型とアノード室、中間室、カソード室の３層に分割した３室型とに分類される。
本発明は、水の電気分解を効率よく行うことのできる３室型の電解装置である。
図１に示すように３室型の電解装置は、通常、中間室１に水（H2O）と食塩（NaCl）又は塩化カリウム（KCl）等の支持電解質と称される液体を入れ、食塩を電気分解して、ナトリウムイオン（Na＋）と塩素イオン（Cl-）に分解し、ナトリウムイオン（Na＋）が溶け込んだカソード室２の水を高還元水、塩素イオン（Cl-）が溶け込んだアノード室３の水を高酸化水とします。また、カソード室２と中間室１との間、及び中間室１とアノード室３との間は、イオン交換膜、電極で仕切られている。
【０００３】
図７は、従来の３室型の電解装置におけるアノード室３またはカソード室２を示す説明図である。図に示すように原水入口４は、底壁に平行に一箇所（本実施例では右側）に設けられるとともに、電解水出口５は側壁に平行で且つ垂直方向に設けられている。このような構成のカソード室２及びアノード室３は、電極とイオン交換膜を介して中間室１の両側にOリング或いはパッキン７で水密性を保持しつつボルトナット８で接続されている。
以上のように構成された電解装置において、下端右側の原水入口４から供給された原水は、図８に示すように大きな矢印で示す旋回流６と小さな流れ９とが生じ、電極への通電によりカソード室２から高還元水が、アノード室３から高酸化水が発生し、電解水出口５から排出される。
また、特許文献１等にもカソード室から高還元水が、アノード室から高酸化水の生成される３室型の電解システムが開示されている。
【先行技術文献】
【特許文献】
【０００４】
【特許文献１】特許第３９８８８２７号公報
【発明の概要】
【発明が解決しようとする課題】
【０００５】
しかし、従来の図７、８に示すような３室型の電解装置においては、図８から明らかなように、アノード室或いはカソード室において原水入口４からの流量が非常に少ない場合には、原水が電解槽全体に行き渡るが、原水の流量が多くなるに従って、左上の部分にデッドゾーン（停滞域）Dが生じ、原水の均等な供給が困難となり、電解効率が低下するという問題が存在した。
また、中間室は、支持電解質を循環して使用するが、通常、流量を約１L/分〜２L/分とする。流量が少なく、流速が遅いと中間室にイオンが充分に供給されず、使用するイオン量に対して供給されるイオン量が足りなくなり、電解効率が低下する問題があった。電解効率の比較表からも明らかなように、流量が約１L/分〜２L/分の間では、やはり中間室においてもデッドゾーンが生じている。
本発明は上記実情に鑑み提案されたもので、アノード室或いはカソード室に夫々２個の流入口を設けるとともに、夫々の流入口を左右対称に対向配置したので、原水の供給流量を増加してもデッドゾーン（停滞域）の発生を防止することができる上に、電解効率を向上することのできる電解装置を提供することを目的とする。
また、中間室においても、デッドゾーンの発生を防止し、イオンを十分に行き渡らせる為に流入口を２個設け、電解効率を向上することのできる電解装置を提供することを目的とする。
【課題を解決するための手段】
【０００６】
前記目的を達成するために、本発明は電解槽がアノード室と中間室とカソード室から構成された３室型の電解装置であって、前記アノード室と中間室の間に、陰イオン交換膜と電極が配置され、前記カソード室と中間室の間に、陽イオン交換膜と電極が配置され、前記アノード室と中間室とカソード室は夫々２個の流入口を備えており、前記流入口は、各電解槽において夫々左右対称に対向配置されたことを特徴としている。
【０００８】
また、本発明において、前記流入口から供給される水量が等しいことを特徴とするものである。
【発明の効果】
【０００９】
この発明は前記した構成からなるので、以下に説明するような効果を奏することができる。
【００１０】
本発明では、電解槽がアノード室と中間室とカソード室から構成された３室型の電解装置であって、前記アノード室と中間室の間に、陰イオン交換膜と電極が配置され、前記カソード室と中間室の間に、陽イオン交換膜と電極が配置され、前記アノード室と中間室とカソード室は夫々２個の流入口を備えたので、水の供給流量を増加してもデッドゾーンの発生を防止できるとともに、電解効率を向上することができる。
【００１１】
また、本発明では、前記流入口は、各電解槽において夫々左右対称に対向配置されたので、入口からの水の供給流量を増加してもデッドゾーンの発生を防止し、電解効率の低下を低減することができる。
【００１２】
また、本発明では、前記流入口から供給される水量が等しいので、入口からの水の供給流量を増加してもデッドゾーンの発生を防止し、電解効率の低下を低減することができる。
【図面の簡単な説明】
【００１３】
【図１】図１は、３室型の電解装置の一例を示す模式図である。
【図２】図２は、本発明の電解装置における、アノード室またはカソード室を示す説明図である。
【図３】図３は、同電解装置の縦断面図である。
【図４】図４は、同電解装置のアノード室またはカソード室における水流の方向を示す説明図である。
【図５】図５は、同電解装置における酸化水の電解効率の結果を示す図である。
【図６】図６は、同電解装置における還元水の電解効率の結果を示す図である。
【図７】図７は、従来の電解装置におけるアノード室またはカソード室を示す説明図である。
【図８】図８は、従来の電解装置のアノード室またはカソード室における水流の方向を示す説明図である。
【発明を実施するための形態】
【００１４】
本発明の電解装置は、アノード室、カソード室或いは中間室に夫々２個の水流入口を設けるとともに、夫々の流入口を左右対称に対向配置したので、水の供給流量を増加してもデッドゾーンの発生を防止することができる上に、電解効率を向上することができる。
【実施例１】
【００１５】
以下、一実施の形態を示す図面に基づいて本発明を詳細に説明する。図２は、本発明の電解装置における、アノード室２１またはカソード室２３を示す説明図、図３は本発明の電解装置の縦断面図である。ここで、電解装置２０は、電解槽がアノード室２１と中間室２２とカソード室２３から構成された３室型のものであって、前記アノード室２１と中間室２２の間に、陰イオン交換膜２４と電極２５が配置され、前記カソード室２３と中間室２２の間に、陽イオン交換膜２６と電極２７が配置され、前記アノード室２１と中間室２２とカソード室２３は夫々２個の流入口２８、２９と１個の電解水出口３０を備えている。
【００１６】
また、流入口２８、２９は、各電解槽において夫々左右対称に対向配置されている。そして、アノード室２１と中間室２２とカソード室２３は、シール部材であるOリング或いはパッキン３１を介して密封されるとともに、ボルト・ナット３２により組立てられる。本実施の形態において、各電解槽は、矩形状をしており、底壁に平行に流入口２８、２９が左右に対向して配置されている。また、流入口２８、２９等しい断面形状をしており、等しい量の原水を供給することができる。更に、電解水出口３０は、天井壁に対して垂直方向で且つ右側壁に沿って配置されている。
【００１７】
中間室２２もアノード室２１、カソード室２３と同様な矩形状をしており、底壁に平行で且つ所定の距離を有して流入口３４、３５が左右に対向して配置されている。また、流入口３４、３５は等しい断面形状をしており、等しい量の水と食塩等を供給することができる。更に、排出口３６は、天井壁に対して垂直方向で且つ右側壁から所定距離を有して配置されており、排出された水等は循環して再度流入口３４、３５から供給される。
【００１８】
以上のような構成の本発明の電解装置２０によれば、図４に示すように原水が左右の流入口２８、２９から等しい量、等速度で供給されるので中央で衝突し、流速が抑制されるとともに、電解槽全体に平均して行き渡り、平行な上昇流３３となって電解水出口３０方向へ向かうこととなる。したがって、電解槽内にデッドゾーンが発生することなく、電解効率が低下することがない。
【００１９】
図５及び表１は、本発明の電解装置における酸化水の電解効率の結果を示す図である。結果は、他社の電解装置と、従来の流入口が１つの電解装置と、本発明の流入口が２つ電解装置とを比較したものである。
流量が０．６０（L/分）では、各装置とも pHは２．２８、２．２１、２．２０と効率にそれ程差がない。つまり、従来の装置と本発明の装置とのpHの差は、０．０１であり、効率比は１．０２である。また、他社装置と本発明装置とのpHの差は、０．０８であり、効率比は１．２である。
【００２０】
流量が、１．６０（L/分）では、各装置に差が現れ本発明の電解装置では、pHが２．４であり、従来の流入口が１つの電解装置では、２．５丁度、他社の装置では２．８８である。つまり、従来の装置と本発明の装置とのpHの差は、０．１０であり、効率比は１．２６である。また、他社装置と本発明装置とのpHの差は、０．４８であり、効率比は３．０２である。
更に流量が増して３．２０（L/分）では、他社の装置と従来の流入口が１つの電解装置とが略等しいpH３．０５、３．００の値を示し、本発明の電解装置では、pHが２．７を示す。つまり、従来の装置と本発明の装置とのpHの差は、０．３０であり、効率比は２．００である。また、他社装置と本発明装置とのpHの差は、０．３５であり、効率比は２．２４である。
【００２１】
流量が３．５０（L/分）では、他社の装置がpH３．１０、従来の流入口が１つの電解装置では、pH３．１３と値が逆転し、本発明の電解装置では、pHが２．８０と高い酸性を示す。つまり、従来の装置と本発明の装置とのpHの差は、０．３３であり、効率比は２．１４である。また、他社装置と本発明装置とのpHの差は、０．３０であり、効率比は２．００である。
このように本発明の電解装置と従来の流入口が１つの電解装置とを比較すると、流量が多くなるに従って電解効率の差が顕著となる。また、他社装置は、電解槽が狭く、流量が少ないときは良好であるが、流量が増すと本発明及び、従来の装置に比べ、かなりの流速があり電解効率が極端に低下する。つまり、本発明の電解装置では、流量が増してもアノード室において高い電解効率を示すことが判る。
【００２２】
【表１】
0005253483.tif 000002
【００２３】
図６及び表２は、本発明の電解装置における還元水の電解効率の結果を示す図である。流量が０．１０（L/分）と少ない場合では、他社の装置がpH１２．３５、従来の流入口が１つの電解装置では、pH１１．９４、本発明の電解装置では、pHが１２．００であり、他社の装置が高いアルカリ性を示す。つまり、従来の装置と本発明の装置とのpHの差は、０．０６であり、効率比は１．１５である。また、他社装置と本発明装置とのpHの差は、−０．３５であり、効率比は０．４５である。
【００２４】
流量が０．７５（L/分）では、他社の装置がpH１１．８０、従来の流入口が１つの電解装置では、pH１１．８４、本発明の電解装置では、pHが１１．９０であり、本発明の装置が高いアルカリ性を示して逆転する。つまり、従来の装置と本発明の装置とのpHの差は、０．０６であり、効率比は１．１５である。また、他社装置と本発明装置とのpHの差は、０．１０であり、効率比は１．２６である。
流量が１．６０（L/分）では、他社の装置がpH１１．３１、従来の流入口が１つの電解装置では、pH１１．２０、本発明の電解装置では、pHが１１．４５であり、本発明の装置が高いアルカリ性を示す。つまり、従来の装置と本発明の装置とのpHの差は、０．２５であり、効率比は１．７８である。また、他社装置と本発明装置とのpHの差は、０．１４であり、効率比は１．３８である。
【００２５】
流量が３．６０（L/分）では、他社の装置がpH１０．８８、従来の流入口が１つの電解装置では、pH１０．７１、本発明の電解装置では、pHが１１．００であり、本発明の装置が高いアルカリ性を示す。
つまり、従来の装置と本発明の装置とのpHの差は、０．２９であり、効率比は１．９５である。また、他社装置と本発明装置とのpHの差は、０．１２であり、効率比は１．３２である。
このように本発明の電解装置と従来の流入口が１つの電解装置とを比較すると、流量が多くなるに従って電解効率の差が顕著となる。流量が０．５（L/分）程度では、pHに差がないが、流量が多くなるとpHに差が出る。また、また、他社装置と本発明装置との電解効率の違いを検討すると、酸化水の結果と若干異なる。この違いは、Na＋イオンとCL−イオンのイオン化傾向の違いから来るものである。このように流量が、少ない場合では他社装置が優れた値を示すが０．７５（L/分）以上では、常に本発明の電解効率が優れている。
【００２６】
【表２】
0005253483.tif 000003
【００２７】
なお、上記説明では、電解水出口が１つの場合について説明したが、これに限ることなく、複数の電解水出口を設けてもよい。
【符号の説明】
【００２８】
２０      電解装置
２１      アノード室
２２      中間室
２３      カソード室
２４      陰イオン交換膜
２５      電極
２６      陽イオン交換膜
２７      電極
２８      流入口
２９      流入口
３０      電解水出口
３１      Ｏリング或いはパッキン
３２      ボルト・ナット
３３      上昇流
３４      流入口
３５      流入口
３６      排出口
【図１】
0005253483.tif 000004
【図２】
0005253483.tif 000005
【図３】
0005253483.tif 000006
【図４】
0005253483.tif 000007
【図５】
0005253483.tif 000008
【図６】
0005253483.tif 000009
【図７】
0005253483.tif 000010
【図８】
0005253483.tif 000011